(57)【特許請求の範囲】
【請求項１】
本体の下端部に回動力の発生と１８０度の回動毎に本体に対する開き角度を保持するヒンジユニットで回動自在にヒンジ結合させ、操作ボタン部を覆うフリップ機構を持つ携帯電話機であって、該フリップは閉じた状態から２７０度を超える角度に回動可能とし、多くとも３００度までの回動角度の本体背面位置で付勢力が作用した状態で係止し、本体とフリップがほぼＬ字状を形成し、自立可能とした携帯電話機において、該フリップの回転軸方向の断面を、閉じた状態において外方に面する両側端部に丸み又は面取りを施し、概ね外方に凸で、該フリップが中指と薬指、或いは薬指と小指の指間に挟持可能な握持機構を形成すると共に、前記携帯電話機の表示部を本体に設けたガイドウエイ上を表示部が操作部の上に重なる形で長手方向にスライド可能に併設し、収納時に該フリップが表示部の保護カバーとなる事を特徴とする携帯電話機。
【請求項２】
フリップを透明樹脂製とした請求項１記載の携帯電話機。
【請求項３】
フリップに視認用窓部を設けた請求項１記載の携帯電話機。
【請求項４】
少なくとも表示部側にカメラを搭載したものである請求項１または２または３記載の携帯電話機。
【発明の詳細な説明】
【発明の詳細な説明】
【技術分野】
【００１】  本発明はフリップ機構を持つ携帯電話機で、フリップの機能の多機能化に関するものである。
【背景技術】
【００２】操作部を覆うフリップ機構を持つ携帯電話機のフリップには、意図しない操作ボタンの誤作動防止、通話時におけるマイクロフォンへの集音効率の向上等が本来の目的としてあった。これらの機能に加え、フリップを携帯電話機本体を自立させるためのスタンドとして機能させる発明が特開平４−２７６９５７、特開平１１−２７５１９３等で開示されている。更に機能を付加する発明として、本願出願人による特許第３４４８７７５号「自立スタンドを兼ねる携帯電話機の握持機構」が開示されている。【００３】更に、操作ボタン部のみならず液晶表示部の保護をもフリップで行う発明が特開平５−３０１６６で開示されている。スライド機構の携帯電話機は公知のもので、特開２００３−１１０６７５にも開示されている。
【発明の開示】
【発明が解決しようとする課題】
【００４】本発明ではフリップの多機能化において、前記本願出願人による特許第３４４８７７５号の自立スタンドを兼ねる握持機構に加え、フリップが液晶等の表示部の保護カバーにもなるものを実現しようとするものである。【００５】ここで、一般的な携帯電話機における操作部と表示部の位置関係を見てみると、操作部が手前に、表示部はその前方に位置する。フリップは手前で、ヒンジユニット回転軸部は手前の端部に位置する。前記、特開平５−３０１６６ではフリップを延長して表示部まで覆うものにしている。しかし、これでは表示部を覆う目的は達するものの、フリップの面積の増大に伴う質量の増加により、フリップに本来求められる「軽やかで素早い動き」の実現は困難である。【００６】前記フリップの動きの実現にはスプリングの弾性力を回転運動に変換するヒンジユニットが従来から採用されている。【００７】前記、「軽やかに素早い動き」を実現するには、フリップの質量は小さく、ヒンジユニットのトルクを大きくすることである。フリップの質量が増加する場合は更にトルクを大きくする必要がある。しかし、小型軽量化を求められる携帯電話機においては、ヒンジユニットにも同じ要求がなされる。すなわち、ヒンジユニットの生み出すトルクには限界があり、過大なトルクは期待できないものである。このことは、フリップの大きさ、質量に自ずから制約があることを意味する。【００８】本発明が解決しようとする課題は、「軽やかで素早い動き」を維持するためには制約となるフリップの大きさ、質量を従来程度に留めて尚且つ、表示部の保護カバー機能を実現しようとするものである。
【問題を解決するための手段】
【００９】この手段として本発明では本体の下端部に回動力の発生と１８０度の回動毎に本体に対する開き角度を保持するヒンジユニットで回動自在にヒンジ結合させ、操作ボタン部を覆うフリップ機構を持つ携帯電話機であって、該フリップは閉じた状態から２７０度を超える角度に回動可能とし、多くとも３００度までの回動角度の本体背面位置で付勢力が作用した状態で係止し、本体とフリップがほぼＬ字状を形成し、自立可能とした携帯電話機において、該フリップの回転軸方向の断面を、閉じた状態において外方に面する両側端部に丸み又は面取りを施し、概ね外方に凸で、該フリップが中指と薬指、或いは薬指と小指の指間に挟持可能な握持機構を形成すると共に、前記携帯電話機の表示部を本体に設けたガイドウエイ上を表示部が操作部の上に重なる形で長手方向にスライド可能に併設し、収納時に該フリップが表示部の保護カバーになるようにしたものである。
【０１０】また本発明では、フリップを透明樹脂製とすることも好ましい作用を生む。
【０１１】また本発明は、フリップに視認用窓部を設けることも好ましい手段である。
【０１２】更に本発明では、少なくとも表示部面側にカメラを搭載することで好ましい作用が得られる。
【発明の効果】
【０１３】本発明では、表示部をフリップで覆う手段を、フリップを延長することではなく表示部が操作部の上面に重なる形でスライドする構成としたことで、フリップの大きさ、質量は従来程度で良いことになる。このため、フリップの多機能化を進める上で、何ら支障なく従来の機能に加え、新たな表示部の保護カバー機能をも付加することが可能となる。
【０１４】また本発明は、フリップを透明樹脂で形成することによりフリップを閉じた状態での、電話の待ち受け時において、フリップを開けることなく着信表示等の視認が可能となる。
【０１５】また、本発明は、フリップを不透明樹脂或いはマグネシウム合金等の軽合金で構成した場合においてもフリップに窓部を設けることで、閉じた状態での表示部の視認が可能となる。
【０１６】現在市場で主流となっている折り畳み方式においては、閉じた状態での着信表示等の視認のために更にサブ液晶表示部を背面に設けているが、本発明ではこのようなものは不要であるばかりか、携帯電話機の厚みを増す要因とならない利点にもなる。
【０１７】携帯電話機自体は小型化を求められるものの、その表示部はより大型化の傾向がある。このため、操作部の面積の縮小となり、操作性の悪化を招く結果となる。本発明では操作部が下端に押しやられ面積が縮小された場合でも、フリップが握持機構となるため確実な保持のもとに安定した入力操作が出来る利点を有する。
【０１８】本体と表示部が単にスライドするスライド式携帯電話機は既に市場に多く存在するものの自立機能を持たないため、テレビ電話として用いる場合においては別途卓上スタンド等を用いる必要がある。本発明はフリップが自立スタンドとして作用するため、簡便にして安定した画像のもとでの会話が可能となる。更に置時計として機能させることも出来る。
【発明を実施するための最良の形態】
【０１９】以下、本発明の実施の形態を図面を参照して詳細に説明する。それぞれの図において、フリップ機構部は、本願出願人による特許第３４４８７７５と同様であるので、この説明は省略させて頂く。図１において、表示素子３を持つ表示部２は本体１に設けたガイドウエイ上を表示部２が操作部６の上に重なる形で長手方向にスライド可能に併設されている。図１は操作部を最大限露出させて、本体１の背面にフリップ４を回動、係止させ、手８の中指と薬指の指間にフリップ４を挟み、確実な保持のもと入力をしている状態を示すものである。【０２０】図２及び図３は本発明の閉じた状態を示すもので、フリップ１４を透明樹脂製としたものである。このためフリップを閉じた状態においても表示素子が視認可能となっている。
透明樹脂は無色透明を始め、着色透明であってもよい。【０２１】図４のフリップ４は不透明な樹脂、或いはマグネシウム軽合金などの場合で、視認用の窓１３を設けた実施例である。窓の面積を大きくするには、自立スタンドとして機能させる場合の物理強度を考慮する必要がある。【０２２】図５、図６は本発明の閉じた状態からフリップのみを開いたもので、この状態での受信通話を可能とすることも出来る。【０２３】図７、図８は図５、図６のフリップを更に本体１の背面側まで回動させたもので、フリップ４が本体１の下端に当接し、Ｌ字状を構成し自立スタンドとして機能している様子を示す。この状態では卓上等に置いて、カメラ７によるテレビ電話機能が安定した画像で得られる。【０２４】図９、図１０は図５、図６の状態から表示部２をスライドさせ、操作部６を露出させたものである。この状態では送話、受話を始め、操作部での入力も可能である。【０２５】図１１はフリップ１４を自立可能状態、及び握持可能状態としたもので、テレビ電話時、或いは図１に示す、電子メール等の入力時に好都合な形態を示す。
【図面の簡単な説明】
【０２６】
【図１】本発明の、使用時を示す斜視図である。
【図２】透明樹脂製フリップの閉じた状態の平面図である。
【図３】透明樹脂製フリップの閉じた状態の側面図である。
【図４】窓を設けたフリップの閉じた状態の平面図である。
【図５】窓を設けたフリップを開いた状態の平面図である。
【図６】窓を設けたフリップを開いた状態の側面図である。
【図７】自立させた状態の平面図である。
【図８】自立させた状態の側面図である。
【図９】フリップを開き表示部をスライドさせ、操作部を露出させた状態の平面図。
【図１０】フリップを開き表示部をスライドさせ、操作部を露出させた状態の側面図。
【図１１】フリップを本体背面まで回動し、表示部をスライドし、操作部を露出させた自立状態の側面図。
【符号の説明】
【０２７】１、  本体
２、  表示部
３、  表示素子
４、  フリップ
５、  ガイドウエイ
６、  操作部
７、  カメラ
８、  手
９、  操作ボタン
１０、２０、ヒンジユニット回転軸部
１１、受話部
１２、送話部
１３、窓部
１４、透明樹脂製フリップ
【要約】
【課題】  携帯電話機のフリップの多機能化において、フリップを従来程度の大きさ、質量のままで液晶等の表示部の保護カバーになるものを得る。
【解決手段】  フリップが、自立スタンドを兼ね携帯電話機の握持機構となる形態であって、表示部を本体に設けたガイドウエイ上を表示部が操作部の上に重なる状態で長手方向にスライド可能に併設し、収納時にフリップが表示部の保護カバーとなる構造とする。
【選択図】  図１【図１】
0003644034.tif 000002
【図２】
0003644034.tif 000003
【図３】
0003644034.tif 000004
【図４】
0003644034.tif 000005
【図５】
0003644034.tif 000006
【図６】
0003644034.tif 000007
【図７】
0003644034.tif 000008
【図８】
0003644034.tif 000009
【図９】
0003644034.tif 000010
【図１０】
0003644034.tif 000011
【図１１】
0003644034.tif 000012